(57)【特許請求の範囲】
【請求項１】
光信号を電気信号に変換する光回線終端装置であって、
光ケーブルから光信号の入力を受ける入力端子と、
前記入力端子から入力された光信号を電気信号に変換する光電変換手段と、
前記光電変換手段にて光電変換された電気信号を同軸ケーブルに出力する出力端子と、
前記光電変換手段を収容する筐体であって、直角の角部を少なくとも１つ有する平面形状に形成された筐体と、を備え、
前記筐体は、カバー部を備え、
前記カバー部は、前記角部を形成する側面である第１の側面及び第２の側面と、前記第１の側面と対向する側面である第３の側面と、前記第２の側面と対向する側面である第４の側面と、前記第１の側面、前記第２の側面、前記第３の側面、及び前記第４の側面に略直交上に連接された上面であって前記光回線終端装置の設置面に略平行に配置される上面と、を備え、
前記入力端子に前記光ケーブルを接続する方向が、前記第１の側面に対して略直交する方向である第１の方向に略沿うように、前記入力端子を前記第３の側面側に配置し、
前記出力端子に前記同軸ケーブルを接続する方向が、前記第２の側面に対して略直交する方向である第２の方向に略沿うように、前記出力端子を前記第４の側面側に配置した、
光回線終端装置。
【請求項２】
前記筐体の平面形状を略五角形状に形成し、
前記第１の側面と前記第４の側面とを略直交状に連接させ、
前記第２の側面と前記第３の側面とを略直交状に連接させ、
前記筐体の側面である平面状の第５の側面を介して前記第３の側面と前記第４の側面とを連接させ、
前記第３の側面における前記第２の方向に沿った長さを、前記入力端子における前記第２の方向に沿った長さに対応する長さとし、
前記第４の側面における前記第１の方向に沿った長さを、前記出力端子における前記第１の方向に沿った長さに対応する長さとした、
請求項１に記載の光回線終端装置。
【請求項３】
商用電源から受電した電力を、当該光回線終端装置に電力を供給する電力供給器を備え、
前記電力供給器は、
前記商用電源から電力ケーブルを介して電力を受電する受電端子と、
前記出力端子と着脱自在に接続可能な第１の端子であって、前記出力端子から前記電気信号の入力を受けると共に、前記受電端子から受電された電力を前記出力端子に送電する第１の端子と、
前記同軸ケーブルと着脱自在に接続可能な第２の端子であって、前記第１の端子から入力された前記電気信号を前記同軸ケーブルに出力する第２の端子と、を備えた、
請求項１又は２に記載の光回線終端装置。
【請求項４】
前記筐体の平面形状を略五角形状に形成し、
前記第１の側面と前記第４の側面とを略直交状に連接させ、
前記第２の側面と前記第３の側面とを略直交状に連接させ、
前記筐体の側面である平面状の第５の側面を介して前記第３の側面と前記第４の側面とを連接させ、
前記第３の側面における前記第２の方向に沿った長さを、前記入力端子における前記第２の方向に沿った長さに対応する長さとし、
前記第４の側面における前記第１の方向に沿った長さを、前記出力端子における前記第１の方向に沿った長さに対応する長さとし、
商用電源から受電した電力を、当該光回線終端装置に電力を供給する電力供給器を備え、
前記電力供給器は、
前記商用電源から電力ケーブルを介して電力を受電する受電端子と、
前記出力端子と着脱自在に接続可能な第１の端子であって、前記出力端子から前記電気信号の入力を受けると共に、前記受電端子から受電された電力を前記出力端子に送電する第１の端子と、
前記同軸ケーブルと着脱自在に接続可能な第２の端子であって、前記第１の端子から入力された前記電気信号を前記同軸ケーブルに出力する第２の端子と、を備え、
前記電力供給器の平面形状を、略矩形形状とし、
前記第１の端子を前記出力端子に接続した際に、前記電力供給器における前記第１の端子が配置される側面が、前記第４の側面と対向し、且つ、前記電力供給器における前記第１の方向に略直交する２つの側面の一方が、前記第１の側面と面一となるように、前記電力供給器を当該光回線終端装置に対して配置可能であり、
前記第１の端子を前記出力端子に接続した際に、前記電力供給器における前記第１の端子が配置される側面と前記第５の側面とに囲まれた空間を介して、前記同軸ケーブルが前記第２の端子に接続可能となるように、前記電力供給器における前記第１の端子が配置される側面に、前記第２の端子を配置した、
請求項１に記載の光回線終端装置。
【請求項５】
前記カバー部の前記上面に、前記光ケーブルから前記入力端子に入力される光信号の受信レベルの状態に対応する情報を表示する表示手段と、前記光電変換手段の電源レベルの状態に対応する情報を表示する表示手段とを設けた、
請求項１から４のいずれか一項に記載の光回線終端装置。
【請求項６】
前記筐体は、前記上面に対向するベース部を備え、
前記第１の側面、前記第２の側面、前記第３の側面、及び前記第４の側面のいずれの長さよりも、前記カバー部の前記上面から前記ベース部に至る長さを低くした、
請求項１から５のいずれか一項に記載の光回線終端装置。
【発明の詳細な説明】
【技術分野】
【０００１】
本発明は、光回線終端装置に関する。
【背景技術】
【０００２】
現在、光ケーブルを使った家庭向けのデータ通信サービスであるＦＴＴＨ（Ｆｉｂｅｒ  Ｔｏ  Ｔｈｅ  Ｈｏｍｅ）が一般家庭に普及しつつある。このＦＴＴＨにおいては、屋外に敷設された光ケーブルを介して送信された映像信号や通信信号が、一般家屋等の屋外又は屋内に設置された光回線終端装置（ＯＮＵ：Ｏｐｔｉｃａｌ Ｎｅｔｗｏｒｋ Ｕｎｉｔ）を介して、ＴＶ受像機や情報通信機器に伝送される。
【０００３】
ここで、光受信機は、一般家屋等の屋外に設置されること（例えば、一般家屋等の壁面に固定される等）が一般的ではあるが、近年の利用形態の多様化に伴って、屋内に設置するケースが増えている。この光回線終端装置の屋内設置については、設置面に対して光回線終端装置を簡易に取り付けられるように、例えば、光回線終端装置を設置面に固定されたスタンドに対してスライドさせながら当該スタンドの溝部に挿入することにより、当該光回線終端装置を設置面に立設した状態で取り付ける構造が提案されている。（例えば、特許文献１参照）。
【先行技術文献】
【特許文献】
【０００４】
【特許文献１】特開２０１２−００８２８７号公報
【発明の概要】
【発明が解決しようとする課題】
【０００５】
しかしながら、従来の光回線終端装置については、屋内での設置性に関して改善の余地があった。例えば、光回線終端装置におけるスタンドへのスライド方向に略直交する側面の一方に、光ケーブルからの光信号の入力を受ける入力端子と、光回線終端装置によって光電変換された電気信号を同軸ケーブルに出力する出力端子が設けられていた。そのため、例えば、光回線終端装置が部屋の隅部に設置された場合に、これら光ケーブル及び同軸ケーブルを設置対象の端部に這わせて敷設することが困難であった。また、入力端子に光ケーブルを接続する方向や出力端子に同軸ケーブルを接続する方向が同一方向であるので、状況（例えば、ＴＶ受像機等の設置状況等）に応じた光ケーブルや同軸ケーブルの敷設に対して柔軟に対応することが困難であった。
【０００６】
本発明は、上記に鑑みてなされたものであって、光回線終端装置を屋内に設置した場合に、光ケーブル及び同軸ケーブルを設置対象の端部に這わせて敷設することが可能であり、状況に応じた光ケーブルや同軸ケーブルの敷設に対して柔軟に対応可能となる、光回線終端装置を提供することを目的とする。
【課題を解決するための手段】
【０００７】
上述した課題を解決し、目的を達成するために、請求項１に記載の光回線終端装置は、光信号を電気信号に変換する光回線終端装置であって、光ケーブルから光信号の入力を受ける入力端子と、前記入力端子から入力された光信号を電気信号に変換する光電変換手段と、前記光電変換手段にて光電変換された電気信号を同軸ケーブルに出力する出力端子と、前記光電変換手段を収容する筐体であって、直角の角部を少なくとも１つ有する平面形状に形成された筐体と、を備え、前記筐体は、カバー部を備え、前記カバー部は、前記角部を形成する側面である第１の側面及び第２の側面と、前記第１の側面と対向する側面である第３の側面と、前記第２の側面と対向する側面である第４の側面と、前記第１の側面、前記第２の側面、前記第３の側面、及び前記第４の側面に略直交上に連接された上面であって前記光回線終端装置の設置面に略平行に配置される上面と、を備え、前記入力端子に前記光ケーブルを接続する方向が、前記第１の側面に対して略直交する方向である第１の方向に略沿うように、前記入力端子を前記第３の側面側に配置し、前記出力端子に前記同軸ケーブルを接続する方向が、前記第２の側面に対して略直交する方向である第２の方向に略沿うように、前記出力端子を前記第４の側面側に配置した。
【０００８】
また、請求項２に記載の光回線終端装置は、請求項１に記載の光回線終端装置において、前記筐体の平面形状を略五角形状に形成し、前記第１の側面と前記第４の側面とを略直交状に連接させ、前記第２の側面と前記第３の側面とを略直交状に連接させ、前記筐体の側面である平面状の第５の側面を介して前記第３の側面と前記第４の側面とを連接させ、前記第３の側面における前記第２の方向に沿った長さを、前記入力端子における前記第２の方向に沿った長さに対応する長さとし、前記第４の側面における前記第１の方向に沿った長さを、前記出力端子における前記第１の方向に沿った長さに対応する長さとしている。
【０００９】
また、請求項３に記載の光回線終端装置は、請求項１又は２に記載の光回線終端装置において、商用電源から受電した電力を、当該光回線終端装置に電力を供給する電力供給器を備え、前記電力供給器は、前記商用電源から電力ケーブルを介して電力を受電する受電端子と、前記出力端子と着脱自在に接続可能な第１の端子であって、前記出力端子から前記電気信号の入力を受けると共に、前記受電端子から受電された電力を前記出力端子に送電する第１の端子と、前記同軸ケーブルと着脱自在に接続可能な第２の端子であって、前記第１の端子から入力された前記電気信号を前記同軸ケーブルに出力する第２の端子と、を備えている。
【００１０】
また、請求項４に記載の光回線終端装置は、請求項１に記載の光回線終端装置において、前記筐体の平面形状を略五角形状に形成し、前記第１の側面と前記第４の側面とを略直交状に連接させ、前記第２の側面と前記第３の側面とを略直交状に連接させ、前記筐体の側面である平面状の第５の側面を介して前記第３の側面と前記第４の側面とを連接させ、前記第３の側面における前記第２の方向に沿った長さを、前記入力端子における前記第２の方向に沿った長さに対応する長さとし、前記第４の側面における前記第１の方向に沿った長さを、前記出力端子における前記第１の方向に沿った長さに対応する長さとし、商用電源から受電した電力を、当該光回線終端装置に電力を供給する電力供給器を備え、前記電力供給器は、前記商用電源から電力ケーブルを介して電力を受電する受電端子と、前記出力端子と着脱自在に接続可能な第１の端子であって、前記出力端子から前記電気信号の入力を受けると共に、前記受電端子から受電された電力を前記出力端子に送電する第１の端子と、前記同軸ケーブルと着脱自在に接続可能な第２の端子であって、前記第１の端子から入力された前記電気信号を前記同軸ケーブルに出力する第２の端子と、を備え、前記電力供給器の平面形状を、略矩形形状とし、前記第１の端子を前記出力端子に接続した際に、前記電力供給器における前記第１の端子が配置される側面が、前記第４の側面と対向し、且つ、前記電力供給器における前記第１の方向に略直交する２つの側面の一方が、前記第１の側面と面一となるように、前記電力供給器を当該光回線終端装置に対して配置可能であり、前記第１の端子を前記出力端子に接続した際に、前記電力供給器における前記第１の端子が配置される側面と前記第５の側面とに囲まれた空間を介して、前記同軸ケーブルが前記第２の端子に接続可能となるように、前記電力供給器における前記第１の端子が配置される側面に、前記第２の端子を配置した。
また、請求項５に記載の光回線終端装置は、請求項１から４のいずれか一項に記載の光回線終端装置において、前記カバー部の前記上面に、前記光ケーブルから前記入力端子に入力される光信号の受信レベルの状態に対応する情報を表示する表示手段と、前記光電変換手段の電源レベルの状態に対応する情報を表示する表示手段とを設けた。
また、請求項６に記載の光回線終端装置は、請求項１から５のいずれか一項に記載の光回線終端装置において、前記筐体は、前記上面に対向するベース部を備え、前記第１の側面、前記第２の側面、前記第３の側面、及び前記第４の側面のいずれの長さよりも、前記カバー部の前記上面から前記ベース部に至る長さを低くした。
【発明の効果】
【００１１】
請求項１に記載の光回線終端装置によれば、入力端子に光ケーブルを接続する方向と、出力端子に光ケーブルを接続する方向とが異なる方向になる。そのため、光回線終端装置が部屋の隅部に設置された場合に、光ケーブルや同軸ケーブルを設置対象の端部に這わせて敷設することできる。また、入力端子に光ケーブルを接続する方向と、出力端子に光ケーブルを接続する方向とを同一方向にした場合に比べて、状況（例えば、ＴＶ受像機等の設置状況等）に応じた光ケーブルや同軸ケーブルの敷設に対して柔軟に対応することが可能となる。
【００１２】
また、請求項２に記載の光回線終端装置によれば、第３の側面における第２の方向に沿った長さを、入力端子における第２の方向に沿った長さに対応する長さに設定し、第４の側面における第１の方向沿った長さを、出力端子における第１の方向に沿った長さに対応する長さに設定することができる。そのため、第３の側面及び第４の側面を必要最小限の形状に形成することができ、光回線終端装置の小型化を図ることができる。
【００１３】
また、請求項３に記載の光回線終端装置によれば、出力端子に第１の端子を着脱自在に接続できると共に、第２の端子に同軸ケーブルを着脱自在に接続できる。そのため、出力端子に第１の端子を接続するための特別な接続器具や、第２の端子に同軸ケーブルを接続するための特別な接続器具を設ける必要がないので、電力供給器を光回線終端装置に簡易に取り付けることができる。
【００１４】
また、請求項４に記載の光回線終端装置によれば、電力供給器が光回線終端装置に取り付けられた場合に、電力供給器における第１の方向に略直交する２つの側面の一方が、第１の側面と面一となるので、電力供給器と設置対象との相互間に無駄な空間が生じることを抑えることができ、光回線終端装置の設置性を維持することができる。また、同軸ケーブルを、電力供給器における第１の端子が配置される側面と第５の側面とに囲まれた空間を介して第２の端子に接続することにより、同軸ケーブルを光ケーブルに略沿うように敷設することができ、状況に応じた光ケーブル及び同軸ケーブルの敷設に対して一層柔軟に対応することができる。
【図面の簡単な説明】
【００１５】
【図１】光回線終端装置を示す図であり、（ａ）は正面図、（ｂ）は平面図、（ｃ）は右側面図、（ｄ）は底面図である。
【図２】図１（ａ）のＡ−Ａ矢視断面図である。
【図３】光回線終端装置の分解斜視図であり、（ａ）光回線終端装置を斜め上方から見た場合の図であり、（ｂ）光回線終端装置を斜め下方から見た場合の図である。
【図４】電力供給器を示す図であり、（ａ）は正面図、（ｂ）は平面図、（ｃ）は右側面図、（ｄ）は底面図である。
【図５】設置壁に取り付けられた光回線終端装置を示す図であり、（ａ）は正面図、（ｂ）は底面図、（ｃ）は左側面図である。
【図６】設置壁に取り付けられた光回線終端装置及び電力供給器を示す図であり、（ａ）は正面図、（ｂ）は底面図、（ｃ）は左側面図である。
【図７】設置床に取り付けられた光回線終端装置を示す図であり、（ａ）は正面図、（ｂ）は底面図、（ｃ）は左側面図である。
【図８】設置床に取り付けられた光回線終端装置及び電力供給器を示す図であり、（ａ）は正面図、（ｂ）は底面図、（ｃ）は左側面図である。
【発明を実施するための形態】
【００１６】
以下に添付図面を参照して、本発明に係る実施の形態を詳細に説明する。ただし、この実施の形態によって本発明が限定されるものではない。
【００１７】
（概要）
最初に、本実施の形態に係る光回線終端装置の概要について説明する。この光回線終端装置は、特記する場合を除いて、任意の目的、設置場所、構造等を取ることができる。例えば、この光回線終端装置の設置場所として、住戸のリビング等の部屋や、商業ビルのテナントフロア等のフロア等が挙げられるが、以下では、光回線終端装置を住戸の部屋に設置した場合について説明を行う。また、この光回線終端装置の設置対象として、建築物の壁、床、天井等が挙げられるが、以下では、設置対象が壁である場合と、設置対象が床である場合とについて説明する。また、この光回線終端装置は、例えば、ＢＳアンテナから同軸ケーブルを介して電力の供給を受けたり、あるいは、電力供給器から電力の供給を受ける。ここで、電力供給器は、商用電源から受電した電力を、光回線終端装置に供給するものである。このことから、光回線終端装置の設置形態としては、以下では、ＢＳアンテナから同軸ケーブルを介して電力の供給を受けることを前提とした設置形態である、設置対象に対して単独で設置する場合と、電力供給器から電力供給を受けることを前提とした設置形態である、設置対象に対して電力供給器と並設して設置する場合とについて説明する。
【００１８】
（構成−光回線終端装置）
最初に、光回線終端装置の基本構成について説明する。図１は、光回線終端装置を示す図であり、（ａ）は正面図、（ｂ）は平面図、（ｃ）は右側面図、（ｄ）は底面図である。図２は、図１（ａ）のＡ−Ａ矢視断面図である。図３は、光回線終端装置の分解斜視図であり、（ａ）光回線終端装置を斜め上方から見た場合の図であり、（ｂ）光回線終端装置を斜め下方から見た場合の図である。なお、以下の説明においては、図１のＸ方向を左右方向（又は幅方向）、図１のＹ方向を上下方向（又は高さ方向）、図１のＺ方向を前後方向とする。
【００１９】
光回線終端装置は、光信号を電気信号に変換する装置である。図１（ａ）〜（ｄ）、図２に示すように、この光回線終端装置１は、筐体１０の内部に、光入力端子２０（ただし、後述する光入力端子２０のコネクタ２１は、外部に突出されている）と、トレイ３０と、光電変換ユニット４０とを収容して構成されている。
【００２０】
（構成−光回線終端装置−筐体）
筐体１０は、光回線終端装置１の構造体であり、光入力端子２０と、トレイ３０と、光電変換ユニット４０とを外部から保護する保護手段であり、ベース部１１と、カバー部１２とを備える。
【００２１】
ベース部１１は、樹脂材にて形成された略板状体である。図１（ａ）〜（ｄ）、図３（ａ）、（ｂ）に示すように、このベース部１１の上面１２ｊには、係止雌部１１ａと、取付部１１ｂと、係止部１１ｃと、固定部１１ｄと、開口カバー部１１ｅと、開口１１ｆが設けられている。このような構造のベース部１１の具体的製造方法は任意であるが、例えば、モールドにて一体成型することで、容易に製造を行うことができる（後述するトレイ３０も同様とする）。
【００２２】
係止雌部１１ａは、後述するカバー部１２の係止雄部１２ａを係止される係止手段である。図３（ａ）、（ｂ）に示すように、この係止雌部１１ａは、略コ字状体にて形成されており、当該係止雌部１１ａの開口部分をベース部１１の内側から外側に向けた状態で、ベース部１１に複数配置されている。
【００２３】
取付部１１ｂは、ベース部１１に対して光入力端子２０を取り付けるための取付手段である。図３（ａ）に示すように、この取付部１１ｂは、略凹状の板状体に形成されており、当該取付部１１ｂの開口部分を上方に向けた状態で、ベース部１１に配置されている。
【００２４】
係止部１１ｃは、トレイ３０を係止するための係止手段である。図３（ａ）、（ｂ）に示すように、この係止部１１ｃは、上端部分が略フック状の棒状体にて形成されており、当該係止部１１ｃの上端部分がトレイ３０の上面に係止可能となるように、ベース部１１に複数配置されている。
【００２５】
固定部１１ｄは、ベース部１１に対して光電変換ユニット４０を固定するための固定手段である。図３（ａ）に示すように、この固定部１１ｄは、略円柱状体に形成されており、ベース部１１における光電変換ユニット４０と対応する部分に複数配置されている。また、この固定部１１ｄには、上方に開放するネジ穴１１ｄ１が設けられている。このネジ穴１１ｄ１は、光電変換ユニット４０を当該固定部１１ｄに固定する際に、固定ネジを固定部１１ｄに固定するための穴である。
【００２６】
開口カバー部１１ｅは、後述するカバー部１２の開口１２ｃの一部を覆うためのカバー手段である。図３（ａ）に示すように、この開口カバー部１１ｅは、略方形状にて形成されており、ベース部１１における後述するカバー部１２の開口１２ｃに対応する部分に配置されている。
【００２７】
開口１１ｆは、光回線終端装置１を設置対象Ｗに固定する際に、当該設置対象Ｗにねじ込まれた固定ネジを係止させるための貫通孔である。図１（ｃ）に示すように、この開口１１ｆは、ダルマ形状の孔部であり、固定ネジの頭部を挿通可能な径の大径部と、固定ネジの頭部は挿通不能であるが固定ネジの本体部を挿通可能な内径の小径部とを、相互に連通させて構成されている。
【００２８】
カバー部１２は、ベース部１１の上面を略覆うためのカバー手段である。このカバー部１２は、下面を開放した略箱形状体にて形成されており、ベース部１１の上面を略覆うように配置されている。また、図３（ａ）、（ｂ）に示すように、このカバー部１２には、係止雄部１２ａと、開口１２ｂ、１２ｃと、ランプカバー部１２ｄとが設けられている。このような構造のカバー部１２の具体的製造方法は任意であるが、例えば、カバー部１２におけるランプカバー部１２ｄを除く部分をモールドにて一体成型し、その後ランプカバー部１２ｄを取り付けてもよい。
【００２９】
係止雄部１２ａは、ベース部１１の係止雌部１１ａに係止する係止手段である。図３（ｂ）に示すように、この係止雄部１２ａは、略突起状にて形成されており、カバー部１２の内側側面において、各ベース部１１の係止雌部１１ａと係止可能となる位置に、それぞれ配置されている。
【００３０】
開口１２ｂは、後述する光入力端子２０のコネクタ２１を筐体１０から外部に露出させるための開口であり、開口１２ｃは、後述する出力端子４５ｂを筐体１０から外部に露出させるための開口である。
【００３１】
ランプカバー部１２ｄは、後述する光電変換ユニット４０のＯＰＴランプ４３又はＰＯＷランプ４４を視認可能に覆うカバー手段である。図１（ｂ）、図３（ａ）に示すように、このランプカバー部１２ｄは、透明樹脂材にて形成された略円形状の板状体であり、カバー部１２の上面１２ｊにおける後述する光電変換ユニット４０のＯＰＴランプ４３と対応する部分と、ＰＯＷランプ４４と対応する部分とにそれぞれ配置されている。
【００３２】
（構成−光回線終端装置−光入力端子）
光入力端子２０は、光ケーブル（図示省略）から光信号の入力を受ける入力端子である。図１（ａ）、図３（ａ）、（ｂ）に示すように、この光入力端子２０は、カバー部１２に設けられた開口１２ｂに挿入されており、ベース部１１の取付部１１ｂに対してネジ等によって固定されている。また、この光入力端子２０は、コネクタ２１と、光ファイバ２２とを備えている。
【００３３】
コネクタ２１は、光入力端子２０に光ケーブルを接続するためのコネクタであり、筐体１０から外部に露出されている。このコネクタ２１の具体的な構成は任意であり、例えば公知のレセプタクルタイプのコネクタ等を用いることができる。
【００３４】
光ファイバ２２は、光ケーブルから入力された光信号を光電変換ユニット４０に出力するための配線であり、筐体１０の内部に収容されている。この光ファイバ２２の長さについては、例えば、図３（ａ）、（ｂ）に示すように、光回線終端装置１の組立作業、又は分解作業等を容易に行える程度の長さとしている。
【００３５】
（構成−光回線終端装置−トレイ）
トレイ３０は、光ファイバ２２の余長部分を収容するための収容手段である。図３（ａ）、（ｂ）に示すように、このトレイ３０は、樹脂材にて形成されたものであって、下面を開放した略中空円柱体であり、筐体１０の内部において、光電変換ユニット４０の上面上に配置され、係止部１１ｃによって係止されている。また、このトレイ３０には、巻き付け部３１、開口３２ａ、３２ｂ、ガイド部３３が設けられている。
【００３６】
巻き付け部３１は、光ファイバ２２の余長部分を巻き付ける巻き付け手段である。図３（ａ）に示すように、この巻き付け部３１は、光ファイバ２２の最小許容半径（光ファイバが折れや曲がりにより破損しない最小の半径をいう）以上の内径の内壁と、それより大きい半径を持った外壁とを有する略ループ形状に形成されている。
【００３７】
開口３２ａは、光ファイバ２２を光入力端子２０から巻き付け部３１に引き入れるための開口であり、開口３２ｂは、光ファイバ２２を巻き付け部３１から光電変換ユニット４０へ引き出すための開口である。
【００３８】
ガイド部３３は、後述する光電変換ユニット４０のＯＰＴランプ４３又はＰＯＷランプ４４における点灯時の光の拡散を防止しながら、当該光をランプカバー部１２ｄに向けてガイドするためのガイド手段である。図３（ａ）に示すように、このガイド部３３は、略円筒状体にて形成されており、巻き付け部３１の上面における後述する光電変換ユニット４０のＯＰＴランプ４３と対応する部分と、後述する光電変換ユニット４０のＰＯＷランプ４４に対応する部分に、それぞれ配置されている。
【００３９】
（構成−光回線終端装置−光電変換ユニット）
光電変換ユニット４０は、光信号を光電変換して電気信号として出力するユニットである。この光電変換ユニット４０は、筐体４１の内部に、回路基板４２と、ＯＰＴランプ４３と、ＰＯＷランプ４４とを収容して構成されている。
【００４０】
（構成−光回線終端装置−光電変換ユニット−筐体）
筐体４１は、光電変換ユニット４０の構造体であり、回路基板４２と、ＯＰＴランプ４３と、ＰＯＷランプ４４とを外部から保護する保護手段であり、ベース部４５と、カバー部４６とを備えて構成されている。
【００４１】
ベース部４５は、樹脂材にて形成された略長方形状の板状体である。このベース部４５には、内部入力端子４５ａと、出力端子４５ｂと、取付部４５ｃとが設けられている。
【００４２】
内部入力端子４５ａは、トレイ３０の開口３２ｂから引き出された光ファイバ２２から信号の入力を受ける端子である。図３（ａ）に示すように、この内部入力端子４５ａは、ベース部４５における開口１２ｂと対向する位置に配置されており、ベース部４５に対して固定具等によって固定されている。
【００４３】
出力端子４５ｂは、回路基板４２から入力された電気信号を、筐体１０のカバー部１２の開口１２ｃを介して引き込まれた同軸ケーブルに出力する端子である。図３（ａ）、（ｂ）に示すように、この出力端子４５ｂは、ベース部４５における開口１２ｃと対向する位置に配置されており、ベース部４５に対して固定具等によって固定され、回路基板４２及び同軸ケーブルとそれぞれ電気的に接続されている。
【００４４】
取付部４５ｃは、光電変換ユニット４０を筐体１０のベース部１１に取り付けるための取付手段である。図３（ａ）、（ｂ）に示すように、この取付部４５ｃは、板状体にて形成されており、ベース部１１の固定部１１ｄの各々に対応する部分にそれぞれ配置され、ベース部１１の固定部１１ｄに対して固定ネジ等によって固定されている。
【００４５】
カバー部４６は、このベース部４５の上面を略覆うカバー手段である。図３（ａ）、（ｂ）に示すように、このカバー部４６は、樹脂材にて形成されたものであって、下面を開放した略直方体形状の中空体である。また、このカバー部４６には、開口４６ａ、４６ｂが設けられている。
【００４６】
開口４６ａは、内部入力端子４５ａを筐体４１から外部に露出するための開口であり、図３（ａ）に示すように、筐体１０におけるカバー部１２の開口１２ｂと対向する位置に配置されている。
【００４７】
開口４６ｂは、出力端子４５ｂを筐体４１から外部に露出するための開口であり、図３（ａ）に示すように、筐体１０におけるカバー部１２の開口１２ｃに対向する位置に配置されている。
【００４８】
（構成−光回線終端装置−光電変換ユニット−回路基板）
回路基板４２は、光回線終端装置１の各種機能を実現するための電気回路（図示省略）が実装された基板である。この回路基板４２には、従来の光回線終端装置に用いられるものと同様の公知の電子部品が実装されている。また、図２に示すように、この回路基板４２は、ベース部４５に対して固定具や嵌合構造等によって固定されており、内部入力端子４５ａ及び出力端子４５ｂとそれぞれ電気的に接続されている。
【００４９】
（構成−光回線終端装置−光電変換ユニット−ＯＰＴランプ）
ＯＰＴランプ４３は、光ケーブルから光入力端子２０に入力される光信号の受信レベルの状態に対応する情報を表示する表示手段であり、具体的には、光信号のレベルが所定レベル以上である場合に点灯し、光ケーブルのレベルが所定レベルよりも小さい場合に消灯する。図３（ａ）に示すように、このＯＰＴランプ４３は、カバー部４６の上面に設けられた開口４６ｃを介して外部に露出され、カバー部４６に対して固定具等により固定されている。また、このＯＰＴランプ４３の具体的な構成は任意であり、例えば、ＬＥＤランプ等の公知のランプを用いることができる（後述するＰＯＷランプ４４も同様とする）。
【００５０】
（構成−光回線終端装置−光電変換ユニット−ＰＯＷランプ）
ＰＯＷランプ４４は、光電変換ユニット４０の電源レベルの状態に対応する情報を表示する表示手段であり、具体的には、光電変換ユニット４０の電源レベルが所定レベル以上である場合に点灯し、光電変換ユニット４０の電源レベルが所定レベルよりも小さい場合に消灯する。図３（ａ）に示すように、このＰＯＷランプ４４は、カバー部４６の上面に設けられた開口４６ｄを介して外部に露出され、カバー部４６に対して固定具等により固定されている。
【００５１】
（構成−光回線終端装置−筐体の平面形状について）
ここで、光回線終端装置１の筐体１０の平面形状においては、下記に示す工夫が施されている。以下、この筐体１０の平面形状について説明する。
【００５２】
まず、光回線終端装置１が部屋の隅部に設置された場合に、光回線終端装置１の筐体１０の平面形状によっては、光回線終端装置１が設置対象Ｗとの相互間において無駄な空間が生じる場合がある。このような問題を解消するために、本実施の形態では、光回線終端装置１の筐体１０は、直角の角部を少なくとも１つ有する平面形状に形成されている。具体的には、図１（ｂ）に示すように、光回線終端装置１の筐体１０は、直角の角部を３つ有する略五角形状の平面形状に形成されている。このような平面形状に形成された筐体１０の具体的な構成としては、例えば、図１、図３に示すように、この筐体１０のカバー部１２は、この平面形状における直角の角部の１つを形成する側面である第１の側面１２ｅ及び第２の側面１２ｆと、第２の側面１２ｆと略直交状に連接し、且つ、第１の側面１２ｅと対向する第３の側面１２ｇと、第１の側面１２ｅと略直交状に連接し、且つ、第２の側面１２ｆと対向する第４の側面１２ｈと、平面状の側面である第５の側面１２ｉであって、第３の側面１２ｇと第４の側面１２ｈとを連接する第５の側面１２ｉと、上述のように、第１の側面１２ｅ〜第５の側面１２ｉを連接することによって形成される平面形状と同一の形状である上面１２ｊとを有する。また、この筐体１０のベース部１１は、この筐体１０のカバー部１２の上面１２ｊと略同一の形状に形成される。このように、光回線終端装置１の筐体１０は、直角の角部を少なくとも１つ有する平面形状に形成されているので、光回線終端装置１が部屋の隅部に配置された場合でも、光回線終端装置１と設置対象Ｗとの相互間に無駄な空間が生じることを抑えることができる。
【００５３】
（構成−光回線終端装置−光入力端子及び出力端子の配置について）
上述したように、光回線終端装置１の筐体１０が直角の角部を少なくとも１つ有する平面形状に形成されたことに伴い、光入力端子２０及び出力端子４５ｂの配置についても、工夫がなされている。つまり、光回線終端装置１が部屋の隅部に配置された場合に、光ケーブルや同軸ケーブルの敷設において、これら光ケーブルや同軸ケーブルが外部から目立たないようにするために、例えば、光ケーブルや同軸ケーブルを設置対象Ｗの端部に這わせて敷設することが想定される。そこで、本実施の形態では、光ケーブルや同軸ケーブルを設置対象Ｗの端部に這わせて敷設することできるように、光回線終端装置１の筐体１０において、光入力端子２０及び出力端子４５ｂが配置されている。
【００５４】
具体的には、光入力端子２０の配置については、図１（ａ）〜（ｃ）に示すように、光入力端子２０に光ケーブルを接続する方向が、この筐体１０のカバー部１２の第１の側面１２ｅに対して略直交する方向である第１の方向Ｄ１に略沿うように、光入力端子２０は、この筐体１０のカバー部１２の第３の側面１２ｇ側に配置されている。より具体的には、光入力端子２０周辺の構成要素の配置については、開口１２ｂは、この筐体１０のカバー部１２の第３の側面１２ｇに配置されている。また、取付部１１ｂは、この筐体１０のベース部１１における開口１２ｂ側の端部に配置されている。そして、光入力端子２０の配置については、この光入力端子２０は、この開口１２ｂと対向し、且つ、当該光入力端子２０に光ケーブルを接続する方向が第１の方向Ｄ１に略沿うように、配置されており、この取付部１１ｂに対してネジ等により固定されている。
【００５５】
また、出力端子４５ｂの配置については、図１（ａ）〜（ｃ）、図３（ａ）、（ｂ）に示すように、出力端子４５ｂに同軸ケーブルを接続する方向が、この筐体１０のカバー部１２の第２の側面１２ｆに対して略直交する方向である第２の方向Ｄ２に略沿うように、出力端子４５ｂは、この筐体１０のカバー部１２の第４の側面１２ｈ側に配置されている。より具体的には、出力端子４５ｂ周辺の構成要素の配置については、開口１２ｃは、この筐体１０のカバー部１２の第４の側面１２ｈに配置されている。また、光電変換ユニット４０は、当該光電変換ユニット４０の筐体４１の開口１２ｂがこの開口１２ｃと対向するように、配置されている。そして、出力端子４５ｂの配置については、この出力端子４５ｂは、当該出力端子４５ｂに同軸ケーブルを接続する方向が第２の方向Ｄ２に略沿うように、この光電変換ユニット４０の筐体４１の開口４６ｂから筐体１０のカバー部１２の第４の側面１２ｈ近傍に至るまで外部に露出した状態で配置されている。
【００５６】
このような光入力端子２０及び出力端子４５ｂの配置により、光ケーブル及び同軸ケーブルを、設置対象Ｗの端部に這わせて敷設することができる。
【００５７】
（構成−光回線終端装置−ベース部及びカバー部の形状について）
上述したように、光入力端子２０及び出力端子４５ｂが配置されたことに伴い、光回線終端装置１の小型化を図るために、この筐体１０のベース部１１及びカバー部１２の形状が、以下のように設定されている。具体的には、図１（ａ）〜（ｃ）に示すように、この筐体１０のカバー部１２の第３の側面１２ｇにおける第２の方向Ｄ２に沿った長さＬ１が、光入力端子２０における第２の方向Ｄ２に沿った長さＨ１（具体的には、光入力端子２０の幅の長さ）に対応する長さに設定されている。また、この筐体１０のカバー部１２の第４の側面１２ｈにおける第１の方向Ｄ１に沿った長さＬ２が、出力端子４５ｂにおける第１の方向Ｄ１に沿った長さＨ２（具体的には、出力端子４５ｂの幅の長さ）に対応する長さに設定されている。このような設定に伴って、この筐体１０のカバー部１２の上面１２ｊにおける第３の側面１２ｇ側の端部の長さは、この筐体１０のカバー部１２の第３の側面１２ｇにおける第２の方向Ｄ２に沿った長さＬ１に対応する長さに設定される。また、この筐体１０のカバー部１２の上面１２ｊにおける第４の側面１２ｈ側の端部の長さは、この筐体１０のカバー部１２の第４の側面１２ｈにおける第１の方向Ｄ１に沿った長さＬ２に対応する長さに設定される。さらには、この筐体１０のベース部１１は、この筐体１０のカバー部１２の上面１２ｊに対応する形状にて形成される。このような形状に設定することで、第３の側面１２ｇ及び第４の側面１２ｈを必要最小限の形状に形成することができ、光回線終端装置１の小型化を図ることができる。
【００５８】
（構成−電力供給器）
次に、電力供給器１００の構成について説明する。ただし、電力供給器１００は従来と同様に構成することが可能であり、特記しない構成については従来と同様であるものとする。図４は、電力供給器１００を示す図であり、（ａ）は正面図、（ｂ）は平面図、（ｃ）は右側面図、（ｄ）は底面図である。図４（ａ）〜（ｄ）に示すように、電力供給器１００は、商用電源（図示省略）から受電した電力を、光回線終端装置１に供給する電力供給手段である。この電力供給器１００は、筐体１１０の内部に、回路基板（図示省略）を収容して構成されている。
【００５９】
（構成−電力供給器−筐体）
筐体１１０は、電力供給器１００の構造体であり、回路基板を外部から保護する保護手段である。図４（ａ）〜（ｄ）に示すように、この筐体１１０は、樹脂材にて形成されたものであって、略矩形形状の平面形状に形成された中空体であり、回路基板に略平行な上面１１０ａ及び下面１１０ｂと、これら上面１１０ａ及び下面１１０ｂの各々に直交する前面１１０ｃと、この前面１１０ｃに対して回路基板を挟んで対向する後面１１０ｄと、これら前面１１０ｃ及び後面１１０ｄの各々に直交する左面１１０ｅと、この左面１１０ｅに対して回路基板を挟んで対向する右面１１０ｆとを有している。
【００６０】
また、この筐体１１０は、受電端子１１１と、第１の端子１１２と、第２の端子１１３と、ＰＯＷランプ１１４と、開口１１５ａを備えている。
【００６１】
受電端子１１１は、商用電源から電源ケーブルを介して電力を受電するための端子である。図４（ａ）、（ｂ）に示すように、この受電端子１１１は、筐体１１０の前面１１０ｃに設けられた開口１１５ｂに挿入されており、筐体１１０に対して固定具等によって接続されている。
【００６２】
第１の端子１１２は、光回線終端装置１の出力端子４５ｂと着脱自在に接続可能な端子であって、当該出力端子４５ｂから電気信号の入力を受けると共に、受電端子１１１から受電された電力を出力端子４５ｂに送電する端子である。図４（ｂ）、（ｄ）に示すように、この第１の端子１１２は、筐体１１０の右面１１０ｆに設けられた開口１１５ｃに挿入されており、筐体１１０に対して固定具等によって接続されている。
【００６３】
ここで、この第１の端子１１２の配置については、光回線終端装置１が電力供給器１００に取り付けられた場合でも、電力供給器１００と設置対象Ｗとの相互間に無駄な空間が生じることを抑えることができる配置が好ましい。具体的には、第１の端子１１２が出力端子４５ｂに接続された際に、筐体１１０の右面１１０ｆが、光回線終端装置１の筐体１０の第４の側面１２ｈと対向し、且つ、筐体１１０の後面１１０ｄが、光回線終端装置１の筐体１０の第１の側面１２ｅと面一となるように、第１の端子１１２は、筐体１１０の右面１１０ｆに配置されている。このような第１の端子１１２の配置によって、筐体１１０の右面１１０ｆとの設置対象Ｗとの相互間に無駄な空間が生じることを抑えることができる。
【００６４】
また、この第１の端子１１２の具体的構成は任意であるが、電力供給器１００を光回線終端装置１に対して安定して取り付けることができるように、例えば、第１の端子１１２は、突起部１１２ａを備えている。突起部１１２ａは、電力供給器１００が光回線終端装置１に取り付けられた際に、電力供給器１００が光回線終端装置１に対して回転することを防止するための回転防止手段である。図４（ｂ）に示すように、この突起部１１２ａは、第１の端子１１２が出力端子４５ｂに接続された際に、当該突起部１１２ａが光回線終端装置１の筐体１０におけるカバー部１２の開口１２ｃに挿入されるように、第１の端子１１２の端部に配置されている。これにより、電力供給器１００が光回線終端装置１に対してＸ方向に回転しようとした場合に、突起部１１２ａが光回線終端装置１の筐体１０のカバー部１２と当接するので、このような電力供給器１００の回転を防止することができる。
【００６５】
第２の端子１１３は、同軸ケーブルと着脱自在に接続可能な端子であって、第１の端子１１２から入力された電気信号を同軸ケーブルに出力する端子である。図４（ｂ）、（ｄ）に示すように、この第２の端子１１３は、筐体１１０の右面１１０ｆに設けられた開口１１５ｄに挿入されており、筐体１１０に対して固定具等によって接続されている。
【００６６】
ここで、部屋の隅部において、光回線終端装置１が設置対象Ｗに対して単独で設置された場合には、上述したように、同軸ケーブルを光ケーブルに略直交するように敷設することができるが、一方で、同軸ケーブルを光ケーブルに略沿うように敷設することが困難となる。そこで、本実施の形態では、光回線終端装置１が電力供給器１００に取り付けられた場合に、同軸ケーブルを光ケーブルに略沿うように敷設可能となるように、第２の端子１１３が配置されている。具体的には、光回線終端装置１が電力供給器１００に取り付けられた場合に、筐体１１０の右面１１０ｆと光回線終端装置１の筐体１０におけるカバー部１２の第５の側面１２ｉとに囲まれた空間Ｓを介して、同軸ケーブルが第２の端子１１３に接続可能となるように、第２の端子１１３は、筐体１１０の右面１１０ｆに配置されている。
【００６７】
ＰＯＷランプ１１４は、電力供給器１００の電源レベルの状態に対応する情報を表示する表示手段であり、具体的には、電力供給器１００の電源レベルが所定レベル以上である場合に点灯し、電力供給器１００の電源レベルが所定レベルよりも小さい場合に消灯する。図４（ｂ）に示すように、このＰＯＷランプ１１４は、筐体１１０の上面１１０ａに設けられた開口１１５ｅを介して外部に露出され、筐体１１０に対して固定具等により固定されている。
【００６８】
開口１１５ａは、電力供給器１００を設置対象Ｗに固定する際に、当該設置対象Ｗにねじ込まれた固定ネジを係止させるための貫通孔である。図４（ｂ）、（ｃ）に示すように、この開口１１５ａは、光回線終端装置１の出力端子４５ｂと第１の端子１１２との接続状況に応じて、電力供給器１００の固定位置を調整可能なように、Ｘ方向に沿って長い長孔状として形成されており、筐体１１０の下面１１０ｂに配置されている。
【００６９】
（構成−電力供給器−回路基板）
回路基板は、電力供給器１００の各種機能を実現するための電気回路（図示省略）が実装された基板である。この回路基板には、従来の電力供給器に用いられるものと同様の公知の電気部品が実装されている。また、この回路基板は、筐体１１０内部の下方側に配置されており、筐体１１０に対してネジや固定具等によって固定されている。そして、この回路基板は、受電端子１１１、第１の端子１１２、及び第２の端子１１３とそれぞれ電気的に接続されている。
【００７０】
（光回線終端装置の組立方法）
次に、このように構成された光回線終端装置１の組立方法について説明する。最初に、光電変換ユニット４０を光回線終端装置１の筐体１０におけるベース部１１の上面に配置し、取付部４０ｃを介して当該ベース部１１の固定部１１ｄに対して固定ネジ等によって固定する。
【００７１】
次に、受電端子１１１と光入力端子２０の光ファイバ２２とを接続する。次いで、光電変換ユニット４０の筐体４１の上面にトレイ３０を配置し、係止部１１ｃによってトレイ３０の上面を係止させる。この場合において、トレイ３０のガイド部３３の各々が光電変換ユニット４０のＯＰＴランプ４３及びＰＯＷランプ４４に対応する位置に、トレイ３０を配置する。そして、光入力端子２０の光ファイバ２２の余長部分をトレイ３０の巻き付け部３１に巻き付ける。
【００７２】
続いて、光入力端子２０を取付部１１ｂに対してネジ等によって固定する。次いで、光回線終端装置１の筐体１０におけるカバー部１２で、光回線終端装置１の筐体１０におけるベース部１１の上面を覆い、係止雌部１１ａに係止雄部１２ａを係止する。これにて、図１〜図３に示す光回線終端装置１が組み立てられる。
【００７３】
（取り付け方法）
次に、このように構成された光回線終端装置１又は電力供給器１００の取り付け方法について説明する。図５は、設置壁に取り付けられた光回線終端装置１を示す図であり、（ａ）は正面図、（ｂ）は底面図、（ｃ）は左側面図である。図６は、設置壁に取り付けられた光回線終端装置１及び電力供給器１００を示す図であり、（ａ）は正面図、（ｂ）は底面図、（ｃ）は左側面図である。図７は、設置床に取り付けられた光回線終端装置１を示す図であり、（ａ）は正面図、（ｂ）は底面図、（ｃ）は左側面図である。図８は、設置床に取り付けられた光回線終端装置１及び電力供給器１００を示す図であり、（ａ）は正面図、（ｂ）は底面図、（ｃ）は左側面図である。この光回線終端装置１の取り付け状態としては、図５（ａ）〜（ｃ）、図６（ａ）〜（ｃ）に示すように、鉛直方向に略沿った２つの壁にて形成された部屋の隅部において、設置対象Ｗである一方の壁（以下、設置壁と称する）に、光回線終端装置１が掛けられた状態である「設置壁掛け状態」と、図７、図８に示すように、鉛直方向に略沿った２つの壁と、水平方向に略沿った床にて形成された部屋の隅部において、設置対象Ｗである床（以下、設置床と称する）に、光回線終端装置１が据え付けられた状態である「設置床据え付け状態」との２つの方法に区分けされる。さらに、取り付け方法には、図５（ａ）〜（ｃ）と図７（ａ）〜（ｃ）に示すように、「光回線終端装置単独の取り付け方法（単独パターン）」と、図６（ａ）〜（ｃ）と図８（ａ）〜（ｃ）に示すように、「光回線終端装置に電力供給器が並設されている場合の取り付け方法（並設パターン）」との２つの方法に区分けされる。
【００７４】
（取り付け方法−設置壁掛け状態−単独パターン）
最初に、設置壁掛け状態の取り付け方法のうち、単独パターンの取り付け方法について説明する。まず、光回線終端装置１を設置壁に固定する。具体的には、図５（ａ）〜（ｃ）に示すように、光回線終端装置１の筐体１０におけるカバー部１２の第２の側面１２ｆを、設置壁に略直交している壁Ｗ１に当接させる。また、光回線終端装置１の筐体１０におけるベース部１１を、設置壁に当接させる。そして、設置壁にねじ込まれ固定ネジの頭部を、光回線終端装置１の筐体１０におけるベース部１１の開口１１ｆの大径部に挿通させた後、小径部に挿通させることにより、光回線終端装置１の筐体１０に固定ネジを係止する。これにより、光ケーブルを設置壁における壁Ｗ１側の端部に這わせて敷設することができると共に、同軸ケーブルを設置壁に這わせて敷設することができる。
【００７５】
続いて、光ケーブルを、光回線終端装置１の光入力端子２０に接続すると共に、同軸ケーブルを、光回線終端装置１の出力端子４５ｂに接続する。ここで、この光回線終端装置１の電力供給については、例えば、ＢＳアンテナ（図示省略）に接続された同軸ケーブルであって、このＢＳアンテナに電力を給電するための同軸ケーブルを光回線終端装置１に接続することで、光回線終端装置１に電力を供給する。この場合において、同軸ケーブルから出力される信号としては、光回線終端装置１にて光電変換された電気信号と、ＢＳアンテナから出力されたＢＳ放送信号とが含まれることになる。そのため、これら信号が別々にＴＶ受像機等に入力されるように、例えばＴＶ受像機等の近傍に、分波器（図示省略）が設けられる。
【００７６】
（取り付け方法−設置壁掛け状態−並設パターン）
最初に、設置壁掛け状態の取り付け方法のうち、並設パターンの取り付け方法について説明する。まず、図６（ａ）〜（ｃ）に示すように、上述した設置壁掛け状態の単独パターンの取り付け方法と同様に、光回線終端装置１を設置壁に固定する。
【００７７】
次に、電力供給器１００の第１の端子１１２を光回線終端装置１の出力端子４５ｂに接続させる。具体的には、図６（ａ）に示すように、電力供給器１００の筐体１１０の右面１１０ｆが光回線終端装置１の筐体１０における第４の側面１２ｈに対向するように、電力供給器１００を光回線終端装置１に対して配置し、電力供給器１００の第１の端子１１２を光回線終端装置１の筐体１０におけるカバー部１２の開口１２ｃを介して出力端子４５ｂに接続する。この場合において、突起部１１２ａも、出力端子４５ｂと併せて、この開口１２ｃに挿入する。
【００７８】
次に、電力供給器１００を設置壁に固定する。具体的には、図６（ａ）〜（ｃ）に示すように、電力供給器１００の筐体１１０の下面１１０ｂを、設置壁に当接させる。そして、固定ネジを電力供給器１００の筐体１１０の開口１１５ａに固定ネジを挿通して締め付けることにより、電力供給器１００の筐体１１０を設置壁に固定する。これにより、光ケーブルを設置壁における壁Ｗ１側の端部に這わせて敷設することができると共に、同軸ケーブルを空間Ｓを介して光ケーブルに略沿うように敷設することができる。
【００７９】
続いて、光ケーブルを、光回線終端装置１の光入力端子２０に接続する。また、同軸ケーブルを、電力供給器１００の第２の端子１１３に接続すると共に、電源ケーブルを、電力供給器１００の受電端子１１１に接続する。
【００８０】
（取り付け方法−設置床据え付け状態−単独パターン）
次に、設置床据え付け状態の取り付け方法のうち、単独パターンの取り付け方法について説明する。まず、光回線終端装置１を設置床に固定する。具体的には、図７（ａ）〜（ｃ）に示すように、光回線終端装置１の筐体１０におけるカバー部１２の第２の側面１２ｆを、設置床に略直交している壁Ｗ１に当接させる。また、光回線終端装置１の筐体１０におけるカバー部１２の第１の側面１２ｅを、設置床及び壁Ｗ１に略直交している壁Ｗ２に当接させる。さらに、光回線終端装置１の筐体１０におけるベース部１１を、設置床に当接させる。これにより、光ケーブルを設置床における壁Ｗ１側の端部に這わせて敷設することができると共に、同軸ケーブルを設置床における壁Ｗ２側の端部に這わせて敷設することができる。
【００８１】
続いて、光ケーブルを、光回線終端装置１の光入力端子２０に接続すると共に、上述したＢＳアンテナに電力を給電するための同軸ケーブルを、光回線終端装置１の出力端子４５ｂに接続する。
【００８２】
（取り付け方法−設置床据え付け状態−並設パターン）
最初に、設置床据え付け状態の取り付け方法のうち、並設パターンの取り付け方法について説明する。まず、図８（ａ）〜（ｃ）に示すように、上述した設置床据え付け状態の単独パターンの取り付け方法と同様に、光回線終端装置１を設置床に固定する。
【００８３】
次に、図８（ａ）に示すように、上述した設置壁掛け状態の並設パターンと同様に、電力供給器１００の第１の端子１１２を光回線終端装置１の出力端子４５ｂに接続させる。
【００８４】
次に、電力供給器１００を設置床に固定する。具体的には、図８（ａ）〜（ｃ）に示すように、電力供給器１００の筐体１１０の後面１１０ｄを、壁Ｗ１に当接させる。また、電力供給器１００の筐体１１０の下面１１０ｂを、設置床に当接させる。これにより、光ケーブルを設置床における壁Ｗ１側の端部に這わせて敷設することができると共に、同軸ケーブルを空間Ｓを介して光ケーブルに略沿うように敷設することができる。
【００８５】
続いて、光ケーブルを、光回線終端装置１の光入力端子２０に接続する。また、同軸ケーブルを、電力供給器１００の第２の端子１１３に接続すると共に、電源ケーブルを、電力供給器１００の受電端子１１１に接続する。
【００８６】
（効果）
このように本実施の形態によれば、光電変換ユニット４０を収容する筐体１０であって、直角の角部を少なくとも１つ有する平面形状に形成された筐体１０を備え、光回線終端装置１の筐体１０において、光入力端子２０に光ケーブルを接続する方向が第１の方向Ｄ１に略沿うように、光入力端子２０を、カバー部１２の第３の側面１２ｇ側に配置すると共に、出力端子４５ｂに同軸ケーブルを接続する方向が、第２の方向Ｄ２に略沿うように、出力端子４５ｂを、カバー部１２の第４の側面１２ｈ側に配置したので、光入力端子２０に光ケーブルを接続する方向と、出力端子４５ｂに光ケーブルを接続する方向とが異なる方向となる。そのため、光回線終端装置１が部屋の隅部に設置された場合に、光ケーブルや同軸ケーブルを設置対象Ｗの端部に這わせて敷設することできる。また、光入力端子２０に光ケーブルを接続する方向と、出力端子４５ｂに光ケーブルを接続する方向とを同一方向にした場合に比べて、状況（例えば、ＴＶ受像機等の設置状況等）に応じた光ケーブルや同軸ケーブルの敷設に対して柔軟に対応することが可能となる。
【００８７】
また、光回線終端装置１の筐体１０の平面形状を略五角形状に形成し、光回線終端装置１の筐体１０におけるカバー部１２の第１の側面１２ｅと第４の側面１２ｈとを略直交状に連接させ、第２の側面１２ｆと第３の側面１２ｇとを略直交状に連接させ、平面状の第５の側面１２ｉを介してこれら第３の側面１２ｇと第４の側面１２ｈとを連接させ、第３の側面１２ｇにおける第２の方向Ｄ２に沿った長さＬ１を、光入力端子２０における第２の方向Ｄ２に沿った長さＨ１に対応する長さとし、第４の側面１２ｈにおける第１の方向Ｄ１に沿った長さＬ２を、出力端子４５ｂにおける第１の方向Ｄ１に沿った長さＨ２に対応する長さとしたので、第３の側面１２ｇ及び第４の側面１２ｈを必要最小限の形状に形成することができ、光回線終端装置１の小型化を図ることができる。
【００８８】
また、電力供給器１００は、商用電源から電力ケーブルを介して電力を受電する受電端子１１１と、出力端子４５ｂと着脱自在に接続可能な第１の端子１１２であって、出力端子４５ｂから電気信号の入力を受けると共に、受電端子１１１から受電された電力を出力端子４５ｂに送電する第１の端子１１２と、同軸ケーブルと着脱自在に接続可能な第２の端子１１３であって、第１の端子１１２から入力された電気信号を同軸ケーブルに出力する第２の端子１１３と、を備えたので、出力端子４５ｂに第１の端子１１２を着脱自在に接続できると共に、第２の端子１１３に同軸ケーブルを着脱自在に接続できる。そのため、出力端子４５ｂに第１の端子１１２を接続するための特別な接続器具や、第２の端子１１３に同軸ケーブルを接続するための特別な接続器具を設ける必要がないので、電力供給器１００を光回線終端装置１に簡易に取り付けることができる。
【００８９】
また、第１の端子１１２を出力端子４５ｂに接続した際に、電力供給器１００の筐体１１０の右面１１０ｆが、第４の側面１２ｈと対向し、且つ、電力供給器１００の筐体１１０の後面１１０ｄが、第１の側面１２ｅと面一となるように、電力供給器１００を光回線終端装置１に対して配置可能であるので、光回線終端装置１に電力供給器１００が取り付けられた場合でも、電力供給器１００と設置対象Ｗとの相互間に無駄な空間が生じることを抑えることができ、光回線終端装置１の設置性を維持することができる。また、第１の端子１１２を出力端子４５ｂに接続した際に、電力供給器１００の筐体１１０の右面１１０ｆと第５の側面１２ｉとに囲まれた空間Ｓを介して、同軸ケーブルを光ケーブルに略沿うように敷設することができ、状況に応じた光ケーブル及び同軸ケーブルの敷設に対して一層柔軟に対応することができる。
【００９０】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９２】
（トレイについて）
また、上記実施の形態では、光回線終端装置１は、筐体１０の内部に、トレイ３０を収容していると説明したが、例えば、このトレイ３０を省略してもよい。
【００９３】
（光回線終端装置の筐体の平面形状ついて）
また、上記実施の形態では、光回線終端装置１の筐体１０を、直角の角部を３つ有する略五角形状の平面形状に形成されていると説明したが、これに限られず、例えば、直角の角部を１つ、又は２つ有する略五角形状の平面形状に形成されてもよい。具体的には、直角の角部が１つの場合には、光回線終端装置１の筐体１０が、当該筐体１０におけるカバー部１２の第１の側面１２ｅ及び第２の側面１２ｆにて形成された角部のみを直角とする略五角形状の平面形状に形成される。
【００９４】
また、光回線終端装置１の筐体１０の平面形状は、略五角形状に限られず、例えば、直角の角部を少なくとも１つ有する多角形状（例えば、略直角三角形状、略四角形状、又は、略六角形状等）に形成されてもよい。
【００９５】
（受電端子の配置について）
また、上記実施の形態では、この受電端子１１１は、電力供給器１００の筐体１１０の前面１１０ｃに設けられた開口１１５ｂに挿入されていると説明したが、これに限られず、例えば、電源ケーブルと同軸ケーブルとが密接するように、配置されてもよい。具体的には、開口１１５ｂは、電力供給器１００の筐体１１０の右面１１０ｆに設けられ、受電端子１１１は、この筐体１１０の右面１１０ｆと、光回線終端装置１の筐体１０におけるカバー部１２の第５の側面１２ｉとに囲まれた空間Ｓを介して、電源ケーブルが受電端子１１１に接続可能となるように、この筐体１１０の右面１１０ｆに配置されてもよい。これにより、電源ケーブルと同軸ケーブルとの相互間に無駄なスペースが生じることを抑えることができる。
【００９６】
（その他の光回線終端装置の構造、及び組立方法、及び取り付け方法について）
その他、光回線終端装置１の構造、及び組立方法、及び取り付け方法については、上記説明した技術的思想に逸脱しない範囲で、任意に変更することが可能である。
【符号の説明】
【００９７】
１  光回線終端装置
１０、４１、１１０  筐体
１１、４５  ベース部
１１ａ  係止雌部
１１ｂ、４５ｃ  取付部
１１ｃ  係止部
１１ｄ  固定部
１１ｄ１  ネジ穴
１１ｅ  開口カバー部
１１ｆ、１２ｂ、１２ｃ、３２ａ、３２ｂ、４６ａ、４６ｂ、４６ｃ、４６ｄ、１１５ａ、１１５ｂ、１１５ｃ、１１５ｄ、１１５ｅ  開口
１２、４６  カバー部
１２ａ  係止雄部
１２ｄ  ランプカバー部
１２ｅ  第１の側面
１２ｆ  第２の側面
１２ｇ  第３の側面
１２ｈ  第４の側面
１２ｉ  第５の側面
１２ｊ、１１０ａ  上面
２０  光入力端子
２１  コネクタ
２２  光ファイバ
３０  トレイ
３１  巻き付け部
３３  ガイド部
４０  光電変換ユニット
４３  ＯＰＴランプ
４４、１１４  ＰＯＷランプ
４５ａ  内部入力端子
４５ｂ  出力端子
１００  電力供給器
１１０ｂ  下面
１１０ｃ  前面
１１０ｄ  後面
１１０ｅ  左面
１１０ｆ  右面
１１１  受電端子
１１２  第１の端子
１１２ａ  突起部
１１３  第２の端子
Ｄ１  第１の方向
Ｄ２  第２の方向
Ｈ１  光入力端子における第２の方向に沿った長さ
Ｈ２  出力端子における第１の方向に沿った長さ
Ｌ１  第３の側面における第２の方向に沿った長さ
Ｌ２  第４の側面における第１の方向に沿った長さ
Ｓ  空間
Ｗ  設置対象
Ｗ１、Ｗ２  壁
【図１】
0005957275.tif 000002
【図２】
0005957275.tif 000003
【図３】
0005957275.tif 000004
【図４】
0005957275.tif 000005
【図５】
0005957275.tif 000006
【図６】
0005957275.tif 000007
【図７】
0005957275.tif 000008
【図８】
0005957275.tif 000009